(57)【要約】【課題】外出時に持ち歩きたい必需品は、これまで一点一点、忘れずバッグに入れたかをチェックして持ち歩いていたが、あわただしい日常や加齢による物忘れで、忘れ物は日常茶飯事。また外出先で必需品を紛失することも多い。そんな心配を無くすため必需品を繋いでひとまとめにし、快適な外出ができることを課題とした。【解決手段】ポシェットに必需品すべてを繋ぐ。繋いだチェーンを伸ばせることで取りだしやすくなっている。他のバッグに移すとき、一まとめで移せる。この３点を意図した収納袋付き特殊ポシェットの提供を、その手段とした。【選択図】図１
2007090045.tif 000002
【特許請求の範囲】
【請求項１】
ハンドバッグ内の必需品を数多く繋ぐことができる特殊ホルダーで、ハンドバッグ内につなげる。そのホルダーに装着した薄手で強い素材を使った袋に収納することで、必需品をそっくりそのまま、忘れず、失くさず、他のハンドバッグに移せる特殊なポシェット。
【発明の詳細な説明】
【技術分野】
【０００１】  本発明は、ハンドバッグを取り替えても、必ず持ち歩く必需品を確実に次のバッグに移せて忘れ物や紛失を予防する目的を意図した、特殊な小バッグに関するものである。
【背景技術】
【０００２】  従来、小物入れ用小バッグと、別なものとして、カギや工具をつないで保持するホルダーは使用され、まったく別なものとして製造されている。【０００３】  本発明に類似した製品としては、多くのポケットつきポーチ。それと別の製品として、カギをつなげるキーホルダー、工具を収納する小物バッグなどがある。また、つないだものを引き伸ばして使用するものとして、強めの糸を引いたり巻き取ったりする製品や、らせん状のナイロンコイル形態のものがあるが、そのどちらも耐久性が弱い。【０００４】  本発明が提供する、忘れ物、紛失・防止ポシェット（以下、防止ポシェットと表示）のように、一つのホルダーに必需品をつなげ、それをそっくり他のバックに移せるといった特殊な小バッグ（大型サイフ程度ののサイズ）は今までになかった。
【発明の開示】
【発明が解決しようとする課題】
【０００５】  そこで本発明は、ひとつの小バッグ−防止ポシェットに必需品を繋いで、忘れ物、紛失を防ぎ、その中から選びたいものを取り出しやすく、また、まとめて他のバッグに移せることを課題とした。
【課題を解決するための手段】
【０００６】  上記課題を解決するために、従来の小物入れバッグやホルダーとまったく構造の違う、必需品ホルダー−防止ポシェット（皮を二枚あわせてぬいつけ、正面の３箇所に穴をあけ、中の空洞スペースにからみにくいボールチェーンを一連に繋げて、その先にハンドバッグ内の必需品をつなげる）を製造し、その裏面に、必需品を繋いだまま他のハンドバッグに移しやすいよう、薄手の収納袋を装着し、裏表を逆転させて全体を収納する。またボールチェーンが長めに一連なので、取り出したい物だけを引っ張るとボールチェーンが伸びて、その一品だけ取り出しやすく、また、従来に無い強度で伸縮できることをその手段とする。
【発明の効果】
【０００７】  以上説明したように、本発明の防止ポシェットは、あせっているときや、忘れ物の多い性格の人、物忘れが顕著になる高齢者にとって、必需品を忘れて外出してしまう不便や紛失する不安を解消し、忘れ物、失くし物の失敗をなくす効果がある。また、女性だけでなくデザインや素材の選び方で、老若男女に使用可能。大型にしてナップザックにしたり、ウエストポーチ状にしたり、海外旅行用の肌着的に使用する貴重品バックなど幅広く応用ができる。
【発明の実施するための最良の形態】
【０００８】  以下発明を、図示の実施の形態により具体的に説明する。
【０００９】  図１は、ハンドバッグ内に入れて使用するときの形態を説明したものである。付属品であるメッシュの袋は、大１０−ａ、中１０−ｂ、小１０−ｃがあり、中身を確認できる状態で、これに収納することでつなぎ部分の無い必需品を、つなぐことができる。
【００１０】  図２は防止ポシェットの正面下方にあるサイドポケット７に、ボールチェーンでつないだホルダーが収納できることを図示した斜視図。および接続金具１、２、６の拡大図。
【００１１】  図３は防止ポシェットを裏側から見た図で、裏側についている下方のポケットに付いたファスナーから、薄手で破れにくいナイロン混紡繊維を使った、バック風袋１１を引き出した斜視図。
【００１２】  図４は、バック風袋１１がリバーシブルになっており、表と裏を逆転させることにより、防止ポシェットと、そこにつないだ必需品を、裏返したバック風袋１１に納めることを描いた斜視図。
【００１３】  図５は、バック風袋１１にすべて収めて、他のハンドバッグに移し変える状態の斜視図。
【００１４】  図６は、防止ポシェットの断面図。前面にボールチェーンの出る穴４と下部にファスナー９、このファスナーを開けて多少絡むこともあるボールチェーンを直すことができる。裏面にも、ファスナーつきの下向きポケット８があり、その中にバック風袋１１を収納する。
【００１５】  図７は正面の透視図。ボールチェーンが、防止ポシェットの中でつながっている様子と、前面のポケットに小型の必需品を納めている様子を描いている
【００１６】  図８は裏面の透視図。防止ポシェット全体を包み込むバック風袋１１が裏面のファスナー付きポケットから出てくるところを描いている。
【００１７】  図９は一般のハンドバッグ１２に防止ポシェットを収納したところ。ハンドバッグ内の内ポケットにあるファスナーの引き手１３の穴に、防止ポシェットの持ち手につけたナスカンをつないだ状態を描いている。
【符号の説明】
【００１８】    １  接続金具ナスカン
２  接続金具
３  持ち手
４  ハトメつき穴
５  ボールチェーン
６  Ｗリング
７  収納ポケット
８  裏面ファスナー
９  正面ファスナー
１０  メッシュ収納袋
大１０−ａ中１０−ｂ小１０−ｃ
１１  バック風袋
１２  一般的ハンドバッグ
１３  ハンドバッグ内ファスナー引き手
【図１】
2007090045.tif 000003
【図２】
2007090045.tif 000004
【図３】
2007090045.tif 000005
【図４】
2007090045.tif 000006
【図５】
2007090045.tif 000007
【図６】
2007090045.tif 000008
【図７】
2007090045.tif 000009
【図８】
2007090045.tif 000010
【図９】
2007090045.tif 000011
【手続補正書】
【提出日】平成18年9月19日(2006.9.19)
【手続補正２】
【補正対象書類名】明細書
【補正対象項目名】全文
【補正方法】変更
【補正の内容】
【発明の詳細な説明】
【技術分野】
【０００１】  本発明は、ハンドバッグを取り替えても、必ず持ち歩く必需品を確実に次のバッグに移せて忘れ物や紛失を予防する目的を意図した、特殊な小バッグに関するものである。
【背景技術】
【０００２】  従来、小物入れ用小バッグと、別なものとして、カギや工具をつないで保持するホルダーは使用され、まったく別なものとして製造されている。【０００３】  本発明に類似した製品としては、多くのポケットつきポーチ。それと別の製品として、カギをつなげるキーホルダー、工具を収納する小物バッグなどがある。また、つないだものを引き伸ばして使用するものとして、強めの糸を引いたり巻き取ったりする製品や、らせん状のナイロンコイル形態のものがあるが、そのどちらも耐久性が弱い。【０００４】  本発明が提供する、忘れ物、紛失・防止ポシェット（以下、防止ポシェットと表示）のように、一つのホルダーに必需品をつなげ、それをそっくり他のバックに移せるといった特殊な小バッグ（大型サイフ程度ののサイズ）は今までになかった。
【発明の開示】
【発明が解決しようとする課題】
【０００５】  そこで本発明は、ひとつの小バッグ−防止ポシェットに必需品を繋いで、忘れ物、紛失を防ぎ、その中から選びたいものを取り出しやすく、また、まとめて他のバッグに移せることを課題とした。
【課題を解決するための手段】
【０００６】  上記課題を解決するために、従来の小物入れバッグやホルダーとまったく構造の違う、必需品ホルダー−防止ポシェット（皮を二枚あわせてぬいつけ、正面の３箇所に穴をあけ、中の空洞スペースにからみにくいボールチェーンを一連に繋げて、その先にハンドバッグ内の必需品をつなげる）を製造し、その裏面に、必需品を繋いだまま他のハンドバッグに移しやすいよう、薄手の収納袋を装着し、裏表を逆転させて全体を収納する。またボールチェーンが長めに一連なので、取り出したい物だけを引っ張るとボールチェーンが伸びて、その一品だけ取り出しやすく、また、従来に無い強度で伸縮できることをその手段とする。
【発明の効果】
【０００７】  以上説明したように、本発明の防止ポシェットは、あせっているときや、忘れ物の多い性格の人、物忘れが顕著になる高齢者にとって、必需品を忘れて外出してしまう不便や紛失する不安を解消し、忘れ物、失くし物の失敗をなくす効果がある。また、女性だけでなくデザインや素材の選び方で、老若男女に使用可能。大型にしてナップザックにしたり、ウエストポーチ状にしたり、海外旅行用の肌着的に使用する貴重品バックなど幅広く応用ができる。
【発明の実施するための最良の形態】
【０００８】  以下発明を、図示の実施の形態により具体的に説明する。
【０００９】  図１は、ハンドバッグ内に入れて使用するときの形態を説明したものである。付属品であるメッシュの袋は、大１０−ａ、中１０−ｂ、小１０−ｃがあり、中身を確認できる状態で、これに収納することでつなぎ部分の無い必需品でも、つなぐことができる。
【００１０】  図２は防止ポシェットの正面下方にあるサイドポケット７に、ボールチェーンでつないだホルダーが収納できることを図示した斜視図。
【００１１】  図３は防止ポシェットを裏側から見た図で、裏側についている下方のポケットに付いたファスナーから、薄手で破れにくいナイロン混紡繊維を使った、バック風袋１１を引き出した斜視図。
【００１２】  図４は、バック風袋１１がリバーシブルになっており、表と裏を逆転させることにより、防止ポシェットと、そこにつないだ必需品を、裏返したバック風袋１１に納めることを描いた斜視図。
【００１３】  図５は、バック風袋１１にすべて収めて、他のハンドバッグに移し変える状態の斜視図。
【００１４】  図６は、防止ポシェットを側面から見た断面図。前面にボールチェーンの出る穴４と下部にファスナー９、このファスナーを開けて多少絡むこともあるボールチェーンを直すことができる。裏面にも、ファスナーつきの下向きポケット８があり、その中にバック風袋１１を収納する。
【００１５】  図７は正面の透視図。ボールチェーンが、防止ポシェットの中でつながっている様子と、前面のポケットに小型の必需品を納めている様子を描いている
【００１６】  図８は裏面の透視図。防止ポシェット全体を包み込むバック風袋１１が裏面のファスナー付きポケットから出てくるところを描いている。
【００１７】  図９は一般のハンドバッグ１２に防止ポシェットを収納したところ。ハンドバッグ内の内ポケットにあるファスナーの引き手１３の穴に、防止ポシェットの持ち手につけたナスカン１をつないだ状態を描いている。
【図面の簡単な説明】
【００１８】
【図１】は防止ポシェットの形態を説明した斜視図
【図２】は防止ポシェットの収納を図示した斜視図
【図３】は収納してあるバック風袋を引き出した斜視図
【図４】はバック風袋への収納を描いた斜視図
【図５】は防止ポシェットを移し変える状態の斜視図
【図６】は側面から見た防止ポシェットの断面図
【図７】は防止ポシェットの正面の透視図
【図８】は防止ポシェットの裏面の透視図
【図９】は一般的ハンドバックに収納した状態図
【符号の説明】
【００１９】１  接続金具ナスカン
２  持ち手
３  ポシェット本体
４  ハトメつき穴
５  ボールチェーン
６  Ｗリング
７  収納ポケット
８  裏面ファスナー
９  正面ファスナー
１０  メッシュ収納袋
大１０−ａ  中１０−ｂ  小１０−ｃ
１１  バック風袋
１２  一般的ハンドバッグ
１３  ハンドバッグ内ファスナー引き手
【手続補正３】
【補正対象書類名】図面
【補正対象項目名】全図
【補正方法】変更
【補正の内容】
【図１】
2007090045.tif 000012
【図２】
2007090045.tif 000013
【図３】
2007090045.tif 000014
【図４】
2007090045.tif 000015
【図５】
2007090045.tif 000016
【図６】
2007090045.tif 000017
【図７】
2007090045.tif 000018
【図８】
2007090045.tif 000019
【図９】
2007090045.tif 000020